(57)【特許請求の範囲】
【請求項１】
上面に電気部品が取り付けられる箱本体と、
前記箱本体の上面を覆った状態で当該箱本体に取り付けられるアッパカバーと、を備えた電気接続箱において、
前記箱本体が、
互いに組みつけられる複数のブロックを備え、
前記ブロックそれぞれの一方の端部には、第１係合部が設けられ、
前記ブロックそれぞれの他方の端部には、第２係合部が設けられ、
前記第１係合部は、前記アッパカバーを係止するための係合枠部であり、
前記第２係合部は、前記アッパカバーを引っ掛けるための突起状の引っ掛け部であり、
前記ブロックそれぞれの他方の端部には、前記係合枠部を収容して当該係合枠部を前記電気部品に重なる位置に位置付ける収容凹部が設けられていることを特徴とする電気接続箱。
【請求項２】
前記複数のブロックが、互いに同形状に形成されていることを特徴とする請求項１記載の電気接続箱。
【発明の詳細な説明】
【技術分野】
【０００１】
本発明は、移動体としての自動二輪車などに搭載される電気接続箱に関する。
【背景技術】
【０００２】
移動体としての自動二輪車には、一般に、ヘッドランプ及びテールランプなどのランプ類、スタータモータ、などの多種多様な電子機器が搭載されている。
【０００３】
前述した多種多様な電子機器に電力を供給するために、前記自動二輪車は、ジャンクションブロックを適宜箇所に配置してきた。前記ジャンクションブロックは、多数のヒューズやリレー等の各種の電気回路ユニットを集約して構成されている。
【０００４】
なお、ジャンクションブロックは、ヒューズ、リレー、ブスバーなどを有することもあることから、ヒューズブロック、リレーボックス、又は総称して電気接続箱とも呼ばれる。本明細書では、前述したヒューズブロック、リレーボックス、ジャンクションブロックを、総称して以下電気接続箱（例えば、特許文献１参照）と呼ぶ。
【０００５】
特許文献１などに示された電気接続箱は、箱本体と、この箱本体内に収容される複数のバスバと、前記箱本体を収容するアッパカバー及びロアカバーとを備えている。箱本体は、それぞれ絶縁性の合成樹脂で構成され、かつ互いに取り付けられる複数のブロックを備えている。
【０００６】
ブロックは、その上面にヒューズ、リレーなどの電気部品が取り付けられかつその下面にワイヤハーネスの複数の電線の端末が取り付けられる。バスバは、ブロック内に設けられて、前述したワイヤハーネスの各電線と前述した電気部品とを予め定められたパターンにしたがって電気的に接続する。
【０００７】
アッパカバーとロアカバーは、互いに取り付けられて、内側に前述した箱本体を収容する。
【０００８】
前述した電気接続箱は、電源からの電力が電源ケーブルにより供給され、この電力をバスバなどにより分岐し、前述したヒューズやリレーを通した後に、ワイヤハーネスの電線を介して、各種の電子機器に供給する。
【先行技術文献】
【特許文献】
【０００９】
【特許文献１】特開平８−２７９６８６号公報
【発明の概要】
【発明が解決しようとする課題】
【００１０】
前述した自動二輪車に搭載される電気接続箱はより小型であることが求められている。しかしながら、特許文献１に示された電気接続箱では、アッパカバーとロアカバー内に箱本体を収容するために、大型化してしまう。そこで、互いに組み付けられた複数のブロックに直接アッパカバーを取り付けて、電気接続箱を小型化することも提案されている。しかしながら、この場合、ブロックにアッパカバーを取り付けるための係合部を設ける必要があって、当該係合部により箱本体が大型化してしまう。
【００１１】
したがって、本発明の目的は、複数のブロック同士を組み付けて箱本体を構成しても、当該箱本体の大型化を抑制することができる電気接続箱を提供することにある。
【課題を解決するための手段】
【００１２】
前記課題を解決し目的を達成するために、請求項１に記載の本発明の電気接続箱は、上面に電気部品が取り付けられる箱本体と、前記箱本体の上面を覆った状態で当該箱本体に取り付けられるアッパカバーと、を備えた電気接続箱において、前記箱本体が、互いに組みつけられる複数のブロックを備え、前記ブロックそれぞれの一方の端部には、第１係合部が設けられ、前記ブロックそれぞれの他方の端部には、第２係合部が設けられ、前記第１係合部は、前記アッパカバーを係止するための係合枠部であり、前記第２係合部は、前記アッパカバーを引っ掛けるための突起状の引っ掛け部であり、前記ブロックそれぞれの他方の端部には、前記係合枠部を収容して当該係合枠部を前記電気部品に重なる位置に位置付ける収容凹部が設けられていることを特徴としている。
【００１３】
請求項２に記載の本発明の電気接続箱は、請求項１記載の電気接続箱において、前記複数のブロックが、互いに同形状に形成されていることを特徴としている。
【００１４】
請求項１に記載した本発明の電気接続箱によれば、箱本体を構成する複数のブロックに第１係合部を収容して当該第１係合部を電気部品に重なる位置に位置付ける収容凹部を設けている。このために、複数のブロックが互いに組みつけられて構成される箱本体が第１係合部の分だけ長さが長くなることがない。
【００１５】
請求項２に記載した本発明の電気接続箱によれば、複数のブロックを互いに同形状に形成したので、電気接続箱を構成する部品の種類が増加することを防止できる。
【発明の効果】
【００１６】
以上説明したように請求項１に記載の本発明は、複数のブロックが互いに組みつけられて構成される箱本体が第１係合部の分だけ長さが長くなることがないので、箱本体の大型化を抑制することができる。よって、複数のブロック同士を組み付けて箱本体を構成しても、当該箱本体の大型化を抑制することができる。
【００１７】
請求項２に記載の本発明は、電気接続箱を構成する部品の種類が増加することを防止できる。
【図面の簡単な説明】
【００１８】
【図１】本発明の一実施形態に係る電気接続箱の斜視図である。
【図２】図１に示された電気接続箱の箱本体を分解して示す斜視図である。
【図３】図１に示された電気接続箱の他方向からみた斜視図である。
【図４】図３に示された電気接続箱の箱本体の斜視図である。
【図５】図２に示された電気接続箱の箱本体のブロックの平面図である。
【図６】図５中の矢印ＩＶ方向から見た側面図である。
【図７】図５中の矢印Ｖ方向から見た側面図である。
【図８】図５中のＶＩ−ＶＩ線に沿う断面図である。
【図９】図１中のＶＩＩ−ＶＩＩ線に沿う断面図である。
【図１０】図１に示された電気接続箱を備えた自動二輪車の側面図である。
【発明を実施するための形態】
【００１９】
以下、本発明の一実施形態にかかる電気接続箱を図１ないし図１０に基づいて説明する。本実施形態にかかる図１に示す電気接続箱１は、移動体としての自動二輪車２（図１０に示す）に搭載される。電気接続箱１は、図１０に示すように、自動二輪車２のダミータンク型収納ボックス３よりも前方側に配置されたバッテリボックス４内にバッテリ５に隣接して収容されている。
【００２０】
電気接続箱１は、図１、図２及び図３に示すように、箱本体６と、アッパカバー７とを備えている。なお、本実施形態では、箱本体６とアッパカバー７とが互いに重なる方向を厚み方向Ｚとよび、この厚み方向Ｚに対して交差（図示例では直交）し後述するブロック８同士が並ぶ方向を長手方向Ｙとよび、前記厚み方向Ｚと長手方向Ｙとの双方に対して交差（図示例では直交）する方向を幅方向Ｘとよぶ。
【００２１】
箱本体６は、互いに汲みつけられる複数のブロック８と、図示しないバスバと、を備えている。なお、図示例では、箱本体６は、二つのブロック８を備えており、これら二つのブロック８は互いに同形状に形成されている。
【００２２】
ブロック８は、絶縁性の合成樹脂で構成され、箱状に形成されている。ブロック８は、図４乃至図８に示すように、箱状のブロック本体９と、連結部１０と、カバー固定部１１と、収容凹部１２とを備えている。
【００２３】
ブロック本体９は、箱状に形成され、かつ図４、図６及び図７中の上方側に位置する表面９ａ（以下、上面と呼ぶ）に電気部品としてのヒューズ１３やリレー１４などを装着する装着部１５を設け、図４、図６及び図７中の下方側に位置する表面９ｂ（以下、下面と呼ぶ）にワイヤハーネスのコネクタが装着されるコネクタ装着部を設けている。
【００２４】
連結部１０は、ブロック本体９の一方の端部１７（ブロック８の一方の端部に相当）に設けられた連結係合部１９及びガイド溝部２０と、ブロック本体９の他方の端部１８（ブロック８の他方の端部に相当）に設けられた連結係合受け部２１及びガイド突起２２と、を備えている。連結係合部１９は、ブロック８のブロック本体９の一方の端部１７の端面１７ａの中央から凸の突起状に形成されている。ガイド溝部２０は、前記端面１７ａの幅方向Ｘの両端に設けられている。ガイド溝部２０は、前記端面１７ａの表面から凸でかつ互いに幅方向Ｘに間隔をあけて設けられているとともに厚み方向Ｚに沿って直線状に延在した一対の凸条壁２３を備えている。
【００２５】
連結係合受け部２１は、ブロック８のブロック本体９の他方の端部１８の端面１８ａの中央に一端が連なった可撓性を有するアーム状に形成されている。ガイド突起２２は、前記端面１８ａの幅方向Ｘの両端に設けられている。ガイド突起２２は、前記端面１８ａの表面から凸でかつ厚み方向Ｚに沿って直線状に延在している。
【００２６】
前述した構成の連結部１０は、ガイド突起２２をガイド溝部２０の一対の凸条壁２３間に通して、ブロック８同士を厚み方向Ｚに沿って互いに近づくように案内するとともに、連結係合部１９が連結係合受け部２１に係合することで、ブロック８同士を直列に連結する。
【００２７】
カバー固定部１１は、図５及び図８に示すように、第２係合部としての引っ掛け部２４と、第１係合部としての係合枠部２５とを備えている。引っ掛け部２４は、ブロック本体９の他方の端部１８の端面１８ａから凸の一対の引っ掛け突起２６を備えている。一対の引っ掛け突起２６は、ブロック本体９の他方の端部１８の端面１８ａの上面９ａ寄りの箇所に設けられ、かつ、互いに幅方向Ｘに間隔をあけて設けられている。
【００２８】
係合枠部２５は、ブロック本体９の一方の端部１７の端面１７ａに両端が連なった枠状に形成されている。係合枠部２５は、ブロック本体９の一方の端部１７の端面１７ａの上面９ａ寄りの箇所でかつ幅方向Ｘの中央に設けられている。
【００２９】
収容凹部１２は、ブロック本体９の他方の端部１８の端面１８ａと上面９ａとの双方から凹に形成されており、前記端面１８ａの幅方向Ｘの中央に設けられている。収容凹部１２は、図９に示すように、連結部１０によりブロック８が互いに直列に連結された際に、係合枠部２５を内側に収容する。また、収容凹部１２は、図９に示すように、内側に収容した係合枠部２５上に最も他方の端部１８の端面１８ａ寄りの装着部１５に装着される電気部品としてのリレー１４が重なる位置に設けられている。即ち、収容凹部１２は、ブロック８のブロック本体９の係合枠部２５をリレー１４に重なる位置に位置付けている。
【００３０】
バスバは、導電性の板金で構成され、かつブロック本体９内に収容されている。バスバは、装着部１５に装着されるヒューズ１３やリレー１４と、コネクタ装着部に装着されるワイヤハーネスのコネクタとを予め定められたパターンにしたがって電気的に接続する。
【００３１】
前述した構成の箱本体６は、連結部１０によりブロック８が互いに直列に連結されて組み立てられる。そして、箱本体６は、装着部１５にヒューズ１３やリレー１４が取り付けられるとともに、コネクタ装着部にワイヤハーネスのコネクタが装着される。そして、箱本体６は、装着部１５に装着されるヒューズ１３やリレー１４と、コネクタ装着部に装着されるワイヤハーネスのコネクタとを予め定められたパターンにしたがって電気的に接続する。
【００３２】
アッパカバー７は、絶縁性の合成樹脂からなり、周知の射出成形により成形される。アッパカバー４は、平坦な天井壁２７と、この天井壁２７の外縁それぞれから立設した四つの周壁２８とを備えている。また、アッパカバー７の長手方向Ｙの一方の端部には、係合爪２９が設けられ、アッパカバー７の長手方向Ｙの他方の端部には、引っ係り部３０が設けられている。係合爪２９は、アッパカバー７の周壁２８の縁から箱本体６に向かって突出した爪状に形成されている。係合爪２９は、係合枠部２５内に侵入して、当該係合枠部２５に係止する。引っ係り部３０は、アッパカバー７の周壁２８の縁から箱本体６に向かって突出した平板状に形成されかつ引っ掛け突起２６が侵入する侵入受け孔３１が設けられている。
【００３３】
前述した構成のアッパカバー７は、引っ係り部３０の侵入受け孔３１内に引っ掛け突起２６を侵入させて当該引っ掛け突起２６を引っ掛ける。そして、アッパカバー７は、係合爪２９が係合枠部２５に近づくように、侵入受け孔３１を中心として回転されて、箱本体６に近づけられる。アッパカバー７は、係合爪２９が係合枠部２５内に侵入して、当該係合枠部２５に係止することで、箱本体６の上面９ａを覆う状態で、当該箱本体６に取り付けられる。
【００３４】
前述したように構成された電気接続箱１は、バッテリボックス４内にバッテリ５に隣接して収容されて、自動二輪車２に取り付けられる。
【００３５】
本実施形態によれば、箱本体６を構成する複数のブロック８に係合枠部２５を収容して当該係合枠部２５をリレー１４に重なる位置に位置付ける収容凹部１２を設けている。このために、複数のブロック８が互いに組みつけられて構成される箱本体６が係合枠部２５の分だけ長さが長くなることがない。したがって、箱本体６の大型化を抑制することができる。よって、複数のブロック８同士を組み付けて箱本体６を構成しても、当該箱本体６の大型化を抑制することができる。
【００３６】
また、複数のブロック８を互いに同形状に形成したので、電気接続箱１を構成する部品の種類が増加することを防止できる。
【００３７】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００３８】
１  電気接続箱
６  箱本体
７  アッパカバー
８  ブロック
９ａ  上面
１２  収容凹部
１３  ヒューズ（電気部品）
１４  リレー（電気部品）
１７  一方の端部
１８  他方の端部
２４  引っ掛け部（第２係合部）
２５  係合枠部（第１係合部）
【図１】
0005758170.tif 000002
【図２】
0005758170.tif 000003
【図３】
0005758170.tif 000004
【図４】
0005758170.tif 000005
【図５】
0005758170.tif 000006
【図６】
0005758170.tif 000007
【図７】
0005758170.tif 000008
【図８】
0005758170.tif 000009
【図９】
0005758170.tif 000010
【図１０】
0005758170.tif 000011